(57)【要約】【課題】  マルチインターフェースを内蔵するメモリカード制御チップを提供する。【解決手段】  フラッシュメモリ制御インターフェースおよびＲＯＭ制御インターフェースを制御チップに内蔵され、該フラッシュメモリ制御インターフェースが、少なくとも一つの外部フラッシュメモリを接続し、該制御チップが、ＲＯＭと一体化され、それによって、製造プロセスを簡略化し、コストダウンし、さらに、マルチ書き込み可能および書き込み禁止機能をメモリカードに与える。【選択図】  図１
2005202654.tif 000002
【特許請求の範囲】
【請求項１】
フラッシュメモリ制御インターフェースおよびＲＯＭ制御インターフェースを制御チップに内蔵することを含むことを特徴とするマルチインターフェースを内蔵するメモリカード制御チップ。
【請求項２】
前記フラッシュメモリ制御インターフェースが、少なくとも一つの外部フラッシュメモリを接続することを含むことを特徴とする請求項１に記載のマルチインターフェースを内蔵するメモリカード制御チップ。
【請求項３】
前記制御チップが、ＲＯＭと一体化されることを含むことを特徴とする請求項１に記載のマルチインターフェースを内蔵するメモリカード制御チップ。
【発明の詳細な説明】
【技術分野】
【０００１】
この発明はフラッシュメモリ制御インターフェースおよびＲＯＭ制御インターフェースを制御チップに内蔵されることを含むマルチインターフェースを内蔵するメモリカード制御チップに関する。
【背景技術】
【０００２】
電子データの伝送の需要が日々高くなって、メモリカードが日常生活とますます密接で、現在使っているメモリカード、あるいはデジタルカード、新世代の記憶メディアであり、それは小型、高記憶量、高伝送スピードなどの特性を持って、さらにマルチメディアのデータ保存、伝送、特に、デジタルカメラ、携帯電話、音響、コンピュータ、PDAなど装置がメモリカードに適用でき、現在市販されるメモリカードは２種類に分けられ、マルチ書き込みフラッシュメモリカードおよびＲＯＭメモリカードがあり、異なるメモリカードはそれぞれ製造しなければならないため、材料コスト、生産時間を低減できなく、利用者は２種類のメモリカードを同時に持ち運ぶ必要になり、不便である。
【０００３】
従来のメモリカードにはフラッシュメモリとコントローラの２つのチップが搭載されている。近年、メモリカードに搭載されるフラッシュメモリは大容量化しつつあり、これに応じて大規模なデータをフラッシュメモリに格納できるようになりつつある。ところが現状では、メモリカードはデジタル機器とデータのやりとりをするだけである。なお、ＩＣカードにはアプリケーションプログラムをダウンロードして実行可能なものが存在する。例えば特開２００３−３２３５９７号公報には、このような要望に応えるために、従来のメモリカードに分離部を設け、２つの不揮発性メモリと連結することで、記憶容量を増大可能とする技術が記載されている。号を付しその説明は繰り返さない。図３は、従来の発明の実施の形態によるメモリカードシステムの全体構成を示すブロック図である。図３に示すシステムでは、デジタル機器２（たとえば、デジタルカメラ・ＰＤＡ・携帯型オーディオ・携帯電話・パソコンなど）のスロット（図示せず）にメモリカード１が挿入され、デジタル機器２からメモリカード１にプログラムデータがダウンロードされる。ダウンロードされたプログラムはメモリカード１内部で実行される。図３に示すシステムでは、回路規模を小さくすることができるメモリカードを提供するため、Ｊａｖａ（登録商標）（ＴＭ）で記述されたソースコードはバイトコードに変換（コンパイル）されてデジタル機器２からメモリカード１へダウンロードされる。メモリカード１にダウンロードされたバイトコード（クラスファイル）は仮想マシン１３０においてｓｔａｔｉｃ変数の部分とＡｐｐｌｅｔコードおよびｓｔａｔｉｃ
ｆｉｎａｌ変数の部分とに分離される。書き換えが発生する可能性がある部分（ｓｔａｔｉｃ変数の部分）はＥＥＰＲＯＭ１５０に格納され、書き換えが発生する可能性がない部分（Ａｐｐｌｅｔコードおよびｓｔａｔｉｃｆｉｎａｌ変数の部分）は暗号処理部１７０で暗号化された後にフラッシュメモリ２００に格納される。しかし、プログラム格納用の不揮発性メモリの容量は、メモリカードに搭載されるフラッシュメモリの容量に比べて非常に小さく、その要望が強い。
【特許文献１】特開２００３−３２３５９７号公報
【発明の開示】
【発明が解決しようとする課題】
【０００４】
この発明は、フラッシュメモリ制御インターフェースおよびＲＯＭ制御インターフェースを制御チップに内蔵され、該フラッシュメモリ制御インターフェースが、少なくとも一つの外部フラッシュメモリを接続し、該制御チップが、ＲＯＭと一体化され、それによって、製造プロセスを簡略化し、コストダウンし、さらに、マルチ書き込み可能および書き込み禁止機能をメモリカードに与えることを含むマルチインターフェースを内蔵するメモリカード制御チップを提供することを課題とする。
【課題を解決するための手段】
【０００５】
そこで、本発明者は、従来の技術に見られる欠点に鑑みて鋭意研究を重ねた結果、フラッシュメモリ制御インターフェースおよびＲＯＭ制御インターフェースを制御チップに内蔵され、該フラッシュメモリ制御インターフェースが、少なくとも一つの外部フラッシュメモリを接続し、該制御チップが、ＲＯＭと一体化され、それによって、製造プロセスを簡略化し、コストダウンし、さらに、マルチ書き込み可能および書き込み禁止機能をメモリカードに与えることを含むことマルチインターフェースを内蔵するメモリカード制御チップによって課題を解決できる点に着眼し、かかる知見に基づいて本発明を完成させた。
【０００６】
以下、この発明について具体的に説明する。
請求項１に記載するマルチインターフェースを内蔵するメモリカード制御チップは、フラッシュメモリ制御インターフェースおよびＲＯＭ制御インターフェースを制御チップに内蔵することを含む。
【０００７】
請求項２に記載するマルチインターフェースを内蔵するメモリカード制御チップは、請求項１におけるフラッシュメモリ制御インターフェースが、少なくとも一つの外部フラッシュメモリを接続することを含む。
【０００８】
請求項３に記載するマルチインターフェースを内蔵するメモリカード制御チップは、請求項２における制御チップが、ＲＯＭと一体化されることを含む。
【発明の効果】
【０００９】
この発明によれば、セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成する効果を有する。
【発明を実施するための最良の形態】
【００１０】
この発明は、マルチインターフェースを内蔵するメモリカード制御チップにおいて、フラッシュメモリ制御インターフェースおよびＲＯＭ制御インターフェースを制御チップに内蔵され、該フラッシュメモリ制御インターフェースが、少なくとも一つの外部フラッシュメモリを接続し、該制御チップが、ＲＯＭと一体化され、それによって、製造プロセスを簡略化し、コストダウンし、さらに、マルチ書き込み可能および書き込み禁止機能をメモリカードに与えることに供する。
かかる  マルチインターフェースを内蔵するメモリカード制御チップについて、具体的な実施例を挙げ、その特徴を以下に詳述する。
【実施例】
【００１１】
図１に開示するように、この発明によるマルチインターフェースを内蔵するメモリカード制御チップ１０は、フラッシュメモリ制御インターフェース１１およびＲＯＭ制御インターフェース１２を内蔵され、該フラッシュメモリ制御インターフェース１１が、少なくとも一つの外部フラッシュメモリ１４を接続し、フラッシュメモリ制御インターフェース１１およびＲＯＭ制御インターフェース１２の設置によって、マルチ書き込み可能および書き込み禁止機能をメモリカードに与える。該制御チップ１０はメモリカードインターフェース１５を具え、外部メモリカードホストポート２０に接続する。
【００１２】
また、図２に開示するように、すべてのメモリの大きさが可変的だったため、すべてのメモリを割り当てプライマリパーティションとサブパーティションになる。該プライマリパーティションはフラッシュメモリ１４に対し設定し、フラッシュメモリ１４をマスターブートレコードーへ保存し、システム起動時に、まずマスターブートレコード、次に初期の二つのセクターのファイルシステムを読み出して、その後正常にディスクへアクセスする。ＲＯＭ１３に書き込みたい場合、ＲＯＭ制御インターフェース１２はメッセージを“書き込み禁止エラー”(Write Protection Error)に設定する。
【産業上の利用可能性】
【００１３】
ＲＯＭ１３と制御チップ１０との製作プロセスが似ているため、そのためＲＯＭ１３を制御チップ１０に内蔵し、制御チップ１０と一体化し、それによって、製造プロセスを簡略化し、コストダウンし、そして制御チップ１０を製造する際、操作マニュアル、製品紹介などのコンテンツを合わせて制御チップ１０の内蔵したＲＯＭ１３を焼き込め、それによって取扱説明書もしくは技術マニュアルの印刷コストを節約し、しかもそれは持ち運ぶのが便利で、検索するのが簡単だ。
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００１４】
【図１】本発明の好ましい実施の形態を示した概略のブロック図である。
【図２】本発明の実施の形態による、制御関係を概略的に示す制御信号の構造図である。
【図３】従来の実施の形態によるメモリカードシステムの全体構成を示すブロック図である。
【符号の説明】
【００１５】
１      メモリカード
１０    制御チップ
１１    フラッシュメモリ制御インターフェース
１２    ＲＯＭ制御インターフェース
１３    ＲＯＭ
１４    フラッシュメモリ
１５    メモリカードインターフェース
２０    メモリカードホストポート
１００  コントローラチップ
１３０  仮想マシン（分離部）
１５０  ＥＥＰＲＯＭ（第１の不揮発性メモリ）
１７０  暗号処理部
２００  フラッシュメモリチップ
（第２の不揮発性メモリ）
【図１】
2005202654.tif 000003
【図２】
2005202654.tif 000004
【図３】
2005202654.tif 000005